(57)【要約】【課題】エアクリーナから下流に流出した異物がエアフローセンサ内に侵入するのを抑制できる内燃機関の吸気装置を提供する。【解決手段】内燃機関１の吸気装置１００は、エアクリーナ２から下流に延びる吸気管１０と、吸気管１０内に同軸状に配置された内筒２０と、内筒２０内に吸気導入口３０ｉｎを有するエアフローセンサ３０と、エアクリーナ２の出口２ｏｕｔと内筒２０の入口２０ｉｎとの間に位置する吸気管１０に設けられ、吸気管１０の軸Ｃ回りに旋回流を生じさせる旋回部４０と、を備える。【選択図】図２
2019132260.tif 000002
【特許請求の範囲】
【請求項１】
エアクリーナから下流に延びる吸気管と、
前記吸気管内に同軸状に配置された内筒と、
前記吸気管に設けられ、前記内筒内に吸気導入口を有するエアフローセンサと、
前記エアクリーナの出口と前記内筒の入口との間に位置する前記吸気管に設けられ、前記吸気管の軸回りに旋回流を生じさせる旋回部と、を備えた
ことを特徴とする内燃機関の吸気装置。
【請求項２】
前記吸気導入口より上流側の前記内筒内には、整流部が設けられる
請求項１記載の内燃機関の吸気装置。
【請求項３】
前記吸気管には、前記旋回流によって径方向外側に付勢された前記異物を捕集するための捕集部が設けられる
請求項１または２記載の内燃機関の吸気装置。
【請求項４】
前記捕集部は、前記吸気管の内圧が大気圧より高いときに開弁して、捕集された前記異物を前記吸気管の外側に排出する一方弁を備える
請求項３記載の内燃機関の吸気装置。
【請求項５】
前記吸気管には、ブローバイガスを還流させる還流通路が接続され、
前記捕集部は、前記吸気管に還流された前記ブローバイガスに含まれるオイルを溜める  請求項３記載の内燃機関の吸気装置。
【発明の詳細な説明】
【技術分野】
【０００１】
本開示は、主として吸気管とエアフローセンサとを備えた内燃機関の吸気装置に関する。
【背景技術】
【０００２】
一般に、内燃機関の吸気装置は、エアクリーナから下流に延びる吸気管と、吸気管に設けられ、吸気管内に吸気導入口を有するエアフローセンサと、を備える。
【先行技術文献】
【特許文献】
【０００３】
【特許文献１】特開２０１５−０７２００３号公報
【発明の概要】
【発明が解決しようとする課題】
【０００４】
上記の吸気装置においては、エアクリーナから下流に流出した微細な異物（例えば、ダストや水分）が、吸気導入口からエアフローセンサ内に侵入する場合がある。この場合、侵入した異物が感知部に付着して、エアフローセンサの出力が変化する虞がある。
【０００５】
そこで、本開示は、かかる事情に鑑みて創案され、その目的は、エアクリーナから下流に流出した異物がエアフローセンサ内に侵入するのを抑制できる内燃機関の吸気装置を提供することにある。
【課題を解決するための手段】
【０００６】
本開示に係る内燃機関の吸気装置は、エアクリーナから下流に延びる吸気管と、前記吸気管内に同軸状に配置された内筒と、前記吸気管に設けられ、前記内筒内に吸気導入口を有するエアフローセンサと、前記エアクリーナの出口と前記内筒の入口との間に位置する前記吸気管に設けられ、前記吸気管の軸回りに旋回流を生じさせる旋回部と、を備えている。
【０００７】
また、前記吸気導入口より上流側の前記内筒内には、整流部が設けられることが好ましい。
【０００８】
また、前記吸気管には、前記旋回流によって径方向外側に付勢された前記異物を捕集するための捕集部が設けられることが好ましい。
【０００９】
また、前記捕集部は、前記吸気管の内圧が大気圧より高いときに開弁して、捕集された前記異物を前記吸気管の外側に排出する一方弁を備えることが好ましい。
【００１０】
また、前記吸気管には、ブローバイガスを還流させる還流通路が接続され、前記捕集部は、前記吸気管に還流された前記ブローバイガスに含まれるオイルを溜めることが好ましい。
【発明の効果】
【００１１】
本開示に係る内燃機関の吸気装置によれば、エアクリーナから下流に流出した異物がエアフローセンサ内に侵入するのを抑制することができる。
【図面の簡単な説明】
【００１２】
【図１】第１実施形態に係る吸気装置を含む内燃機関全体の概略構成図である。
【図２】図１に示した吸気装置及びエアクリーナの概略構成図である。
【図３】図２に示した吸気装置の拡大断面図である。
【図４】図３のＩＶ−ＩＶ断面図である。
【図５】図３のＶ−Ｖ断面図である。
【図６】第２実施形態に係る吸気装置及びエアクリーナの概略構成図である。
【図７】図６に示した吸気装置の拡大断面図である。
【図８】図７のＶＩＩＩ−ＶＩＩＩ断面図である。
【図９】第３実施形態に係る吸気装置及びエアクリーナの概略構成図である。
【図１０】図９に示した吸気装置の拡大断面図である。
【図１１】図１０のＸＩ−ＸＩ断面図である。
【図１２】第１変形例に係る吸気装置及びエアクリーナの概略構成図である。
【図１３】図１２のＸＩＩＩ−ＸＩＩＩ断面図である。
【図１４】第２変形例に係る吸気装置の概略構成図である。
【図１５】第２変形例に係る吸気装置及びエアクリーナの概略構成図である。
【図１６】図１５のＸＶＩ−ＸＶＩ断面図である。
【図１７】図１６の他の変形例を示す図である。
【発明を実施するための形態】
【００１３】
以下、添付図面に基づいて、本開示の実施形態を説明する。
【００１４】
（第１実施形態）
図１は、第１実施形態に係る吸気装置１００を含む内燃機関１全体の概略構成図である。また、図２は、図１に示した吸気装置１００及びエアクリーナ２の概略構成図であり、図３は、図２に示した吸気装置１００の拡大断面図である。また、図４は、図３のＩＶ−ＩＶ断面図であり、図５は、図３のＶ−Ｖ断面図である。なお、図中において、白抜き矢印Ａは、吸気の流れを示す。また、符号Ｂは、異物（例えば、微細なダストや霧状の水分）を示し、符号Ｃは、吸気管１０の管軸を示すものとする。
【００１５】
図１及び図２に示すように、内燃機関１の吸気装置１００は、エアクリーナ２から下流に延びる吸気管１０と、吸気管１０内に同軸状に配置された内筒２０と、を備える。また、吸気装置１００は、吸気管１０に設けられ、内筒２０内に吸気導入口３０ｉｎを有するエアフローセンサ３０を備える。また、吸気装置１００は、エアクリーナ２の出口２ｏｕｔと内筒２０の入口２０ｉｎとの間に位置する吸気管１０内に設けられ、吸気管１０の軸Ｃ回りに旋回流を生じさせるフィン４０を備える。本実施形態において、フィン４０は、本開示の旋回部に相当する。
【００１６】
図１に示すように、内燃機関１は、車両（不図示）に搭載された多気筒の圧縮着火式内燃機関、すなわちディーゼルエンジンである。但し、内燃機関１の用途、種類等は、任意であって良い。
【００１７】
内燃機関１は、シリンダブロック３と、シリンダブロック３の上部に接続されたシリンダヘッド４と、シリンダブロック３の下部に形成されたクランクケース５と、を備える。
【００１８】
シリンダヘッド４には、吸気マニホールド６及びターボチャージャのコンプレッサ７を介して吸気管１０が接続される。但し、ターボチャージャは、設けられなくても良い。
【００１９】
吸気管１０には、ブローバイガスを還流させるガスホース８が接続される。ガスホース８は、クランクケース５内のブローバイガスを吸気管１０に還流させる還流通路の一部を構成する。ガスホース８は、コンプレッサ７よりも上流側の吸気管１０に接続される。
【００２０】
図２に示すように、吸気管１０の入口１０ｉｎには、エアクリーナ２の出口２ｏｕｔが接続される。吸気管１０は、入口１０ｉｎから少なくとも内筒２０の下流端の位置にかけて、水平方向に延びて形成される。但し、本実施形態の吸気管１０は、任意の形状、角度であって良く、例えば、吸気管１０の入口１０ｉｎから鉛直方向に延びていても良い。
【００２１】
エアクリーナ２は、円筒型フィルタエレメント２ａを内設する。但し、フィルタエレメント２ａは、任意の種類であって良い。
【００２２】
エアクリーナ２の入口２ｉｎには、吸気口（不図示）を有する吸気ダクト９の出口９ｏｕｔが接続される。
【００２３】
図３に示すように、エアクリーナ２は、吸気中の異物Ｂをフィルタエレメント２ａで濾し取って捕集するように構成されるが、一部微量で微細な異物Ｂがフィルタエレメント２ａをすり抜けて下流に流出する。但し、エアクリーナ２は、異物Ｂが各気筒（不図示）内に吸い込まれても、内燃機関１の耐久性に影響しない捕集効率に設定されている。
【００２４】
内筒２０の径方向外側に配置される吸気管１０は、外周部（図示、上面部）に、エアフローセンサ３０を取り付けるための挿通孔１１を有する。
【００２５】
内筒２０には、円筒状の管部材が適用され、入口２０ｉｎと出口２０ｏｕｔとが形成される。内筒２０は、吸気管１０の管軸Ｃと同軸状に配置される。ここで、「同軸状」とは、同軸であるか、もしくは、吸気の流れを阻害しない程度に僅かに非同軸の状態、例えば管軸Ｃに対して傾斜及びオフセットした状態を意味する。本実施形態の内筒２０は、管軸Ｃと同軸に配置される。なお、内筒２０の断面形状等は、任意であっても良い。例えば、内筒２０は、入口２０ｉｎから出口２０ｏｕｔにかけて、一定の断面形状でなくても良く、全体または一部（入口２０ｉｎ付近等）をテーパー状に拡径または縮径した形状であっても良い。
【００２６】
また、内筒２０は、入口２０ｉｎと出口２０ｏｕｔとの間に位置する外周部（図示、上面部）に、エアフローセンサ３０を取り付けるための挿通孔２１を有する。挿通孔２１は、吸気管１０の上面部に形成された挿通孔１１と同軸に設けられる。また、挿通孔１１，２１の内周面には、吸気管１０の径方向（図示、上下方向）に延びる筒部材Ｔ１が当接されて設けられる。筒部材Ｔ１は、吸気管１０の挿通孔１１から内筒２０の挿通孔２１の位置にかけて配置される。
【００２７】
内筒２０の入口２０ｉｎには、整流部としての整流板２２が設けられる。整流板２２は、格子状またはハニカム状に形成され、内筒２０の入口２０ｉｎの内壁部２３に固定される。但し、整流板２２は、エアフローセンサ３０の吸気導入口３０ｉｎより上流側の内筒２０内であれば、入口２０ｉｎより下流の位置に設けられても良い。また、整流部の種類、形状等は、任意であって良い。
【００２８】
本実施形態の内筒２０は、吸気管１０の内壁部１２から径方向内側に延びる複数の棒状の支持部材５０によって支持されており（図５を参照）、吸気管１０の内壁部１２との隙間を吸気が流れるように設けられる。なお、支持部材５０の形状、位置、個数等は、任意であって良い。
【００２９】
エアフローセンサ３０には、熱線式のエアフローセンサが適用される。具体的には、エアフローセンサ３０は、筒部材Ｔ１を介して挿通孔１１，２１に挿入され、内筒２０内に配置されるケース３１を有する。また、エアフローセンサ３０は、ケース３１内に収容される感知部としてのホットワイヤ３２を有する。
【００３０】
また、図示しないが、エアフローセンサ３０は、ホットワイヤ３２で感知した吸気温度を電子制御ユニットもしくはコントローラに出力し、吸気温度の変化によって吸気流量を検出できるように構成される。
【００３１】
ケース３１は、上流側端面に吸気導入口３０ｉｎを有し、下流側端面に吸気排出口３０ｏｕｔを有する。吸気導入口３０ｉｎ及び吸気排出口３０ｏｕｔは、内筒２０内に同軸に開口される。
【００３２】
ホットワイヤ３２は、ケース３１内において、吸気導入口３０ｉｎから吸気排出口３０ｏｕｔに向かう流路の途中に設けられる。なお、本実施形態においては、白金等で形成されたホットワイヤ３２を感知部として用いているが、シリコン等で形成された任意の感熱素子を感知部として用いても良い。
【００３３】
図３及び図４に示すように、フィン４０は、複数（図示例では４枚）の羽根部材ないし板部材を有し、管軸Ｃの位置から放射状に延びて吸気管１０の内壁部１２に固定される。
【００３４】
より詳しくは、フィン４０は、吸気管１０内において、上流側から下流側に向かうにつれ軸方向に対して傾斜されることで、吸気を周方向に旋回させるように構成される。また、フィン４０は、旋回させた吸気によって、エアクリーナ２から下流に流出した異物Ｂを内筒２０よりも径方向外側に付勢するように構成される。但し、フィン４０の種類、形状等は、任意であって良い。
【００３５】
また、フィン４０は、内筒２０の直前の位置に配置される。なお、図示例では、フィン４０がエアクリーナ２の直後の位置に配置されているが、フィン４０の位置は、吸気管１０内の任意の位置であって良い。
【００３６】
次に、第１実施形態に係る吸気装置１００の作用効果を説明する。
【００３７】
図１〜図３に示すように、エアクリーナ２においては、吸気中の殆どの異物Ｂ（例えば、ダスト）がエアフィルタ２ａで濾し取られるが、一部微量で微細な異物Ｂがエアフィルタ２ａをすり抜けて下流に流出する。また、例えば、雨中走行時にエアフィルタ２ａに水が付着した場合には、霧状の水分が異物Ｂとして下流に流出する場合がある。
【００３８】
ここで、図示しないが、本実施形態の内筒２０及びフィン４０を備えていない比較例の吸気装置では、エアクリーナから下流に流出した異物が、エアフローセンサの吸気導入口から内部に侵入する場合がある。この場合、侵入した異物がホットワイヤに付着して、エアフローセンサの出力を変化させる虞がある。
【００３９】
特に、エアフローセンサは、長期間の使用によってホットワイヤに付着したダストが増加すると、出力変化が増大して検出精度が低下する等の劣化を生じる虞がある。
【００４０】
これに対して、本実施形態の吸気装置１００であれば、白抜き矢印Ａで示すように、フィン４０によって旋回流を発生させることで、エアクリーナ２から下流に流出した異物Ｂが内筒２０よりも径方向外側に付勢される。そして、径方向外側に付勢された異物Ｂは、吸気管１０と内筒２０との隙間を通過して下流側に流れる。これにより、異物Ｂが内筒２０内に侵入すること、更には、吸気導入口３０ｉｎからエアフローセンサ３０内に侵入することを抑制できる。その結果、異物Ｂがホットワイヤ３２に付着するのを抑制して、エアフローセンサ３０の出力変化を抑制できる。そして、エアフローセンサ３０を長期間使用した場合でも、検出精度の低下を抑えて劣化を抑制できる。
【００４１】
また、本実施形態においては、吸気導入口３０ｉｎより上流側の内筒２０内に整流板２２が設けられる。これにより、フィン４０で生じた旋回流を消失もしくは減衰できる。その結果、エアフローセンサ３０内に旋回成分のない吸気を導入して、エアフローセンサ３０の検出精度を向上させることができる。
【００４２】
（第２実施形態）
図６は、第２実施形態に係る吸気装置２００及びエアクリーナ２の概略構成図であり、図７は、図６に示した吸気装置２００の拡大断面図である。また、図８は、図７のＶＩＩＩ−ＶＩＩＩ断面図である。なお、第２実施形態に係る吸気装置２００は、第１実施形態に係る吸気装置１００に捕集部６０を追加したものであり、他の部分は第１実施形態と同じなので、同一の構成要素には同じ符号を用い、それらの詳細な説明は省略する。
【００４３】
図６に示すように、第２実施形態の吸気管１０には、旋回流によって径方向外側に付勢された異物Ｂを捕集するための捕集部６０が設けられる。
【００４４】
具体的には、図７及び図８に示すように、本実施形態の捕集部６０は、吸気管１０の内圧が大気圧より高いときに開弁して、捕集された異物Ｂを吸気管１０の外側の大気中に排出する一方弁６１を備える。
【００４５】
また、捕集部６０は、吸気管１０の下端部に設けられた管状の開口部１３を有する。開口部１３は、内筒２０の上流側端部の径方向外側に位置される。但し、開口部１３の位置、形状等は、任意であって良い。例えば、開口部１３は、内筒２０の下流側端部の径方向外側に位置されても良い。
【００４６】
一方弁６１は、ゴムまたは樹脂材料によってキャップ状に形成され、先端部にスリット６１ａを有する。一方弁６１は、開口部１３に下方から嵌合して取り付けられ、開口部１３と共に凹状の捕集部６０を構成する。但し、一方弁６１の構造は、任意であって良い。また、開口部１３に一方弁６１を一体に形成していても良い。
【００４７】
他方、開口部１３内には、吸気管１０内からスリット６１ａ側に異物Ｂを通過させ、かつ、反対方向への逆流を抑止する逆流抑止部材６２（例えば、網部材）が設けられる。但し、逆流抑止部材６２は、設けられなくても良い。
【００４８】
次に、第２実施形態に係る吸気装置２００の作用効果を説明する。
【００４９】
第２実施形態によれば、旋回流によって内筒２０よりも径方向外側に付勢された異物Ｂを、捕集部６０によって捕集できる。
【００５０】
また、捕集部６０の開口部１３は、内筒２０の上流側端部の径方向外側に位置されるため、フィン４０の近くを流れる強い旋回流により、異物Ｂを効率良く捕集できる。
【００５１】
また、捕集された異物Ｂは、吸気管１０の内圧が大気圧より高いときに、一方弁６１が開弁されることで大気中に排出できる。
【００５２】
また、捕集された異物Ｂは、吸気管１０の内圧が大気圧より低いときでも、逆流抑止部材６２によって吸気管１０内への逆流を抑止できる。
【００５３】
（第３実施形態）
図９は、第３実施形態に係る吸気装置３００及びエアクリーナ２の概略構成図であり、図１０は、図９に示した吸気装置３００の拡大断面図である。また、図１１は、図１０のＸＩ−ＸＩ断面図である。なお、第３実施形態では、捕集部の構成が第２実施形態と異なるが、他の部分は第２実施形態と同じなので、同一の構成要素には同じ符号を用い、それらの詳細な説明は省略する。
【００５４】
図９〜図１１に示すように、第３実施形態の捕集部７０は、異物Ｂだけではなく、吸気管１０に還流されたブローバイガスに含まれるオイルをも溜めるように構成される。
【００５５】
捕集部７０は、吸気管１０の内壁部１２（図示、下端部）を下方に凹ませた凹部により形成される。但し、捕集部７０は、吸気管１０と別体として形成されても良い。
【００５６】
より詳しくは、図１に示すように、吸気管１０内においては、ガスホース８との接続部分が内筒２０よりも高い位置に位置される場合に、ガスホース８との接続部分の周辺に付着したオイルＯが、内燃機関１の停止時に吸気管１０の上流側に流れて移動する傾向がある。図１０及び図１１に示すように、捕集部７０は、この上流側に流れてきたオイルＯを貯留するように構成される。
【００５７】
また、捕集部７０は、緩やかに湾曲した凹状に形成され、内燃機関１の再稼働時に、貯留されたオイルＯが、吸気によって下流側に送り出されるように構成される。
【００５８】
また、捕集部７０は、内筒２０の上流側端部の径方向外側に位置する吸気管１０に形成される。但し、捕集部７０の位置は、任意であって良い。
【００５９】
第３実施形態によれば、捕集部７０に貯留されたオイルＯによって、径方向外側に付勢された異物Ｂ（特に、ダスト）を吸着させて捕集できる。また、捕集部７０は、内筒２０の上流側端部の径方向外側に位置されるため、フィン４０の近くを流れる強い旋回流により、異物Ｂを効率良く捕集できる。
【００６０】
また、第３実施形態では、内燃機関１の停止後の再稼働時に、捕集部７０内のオイルＯに吸着された異物Ｂが、吸気管１０と内筒２０との隙間を通過する吸気によって、オイルＯと共に下流に送り出されるので、ダストの巻き上がりを抑制できる。その結果、異物Ｂが吸気導入口３０ｉｎに侵入するのを効果的に抑制できる。
【００６１】
なお、本開示は、上述の実施形態に限定されるものではなく、本開示の趣旨を逸脱しない範囲で、適宜変更して実施することが可能である。
【００６２】
例えば、エアフローセンサ２０は、ホットワイヤ３２を用いた熱線式ではなく、任意の種類（ホットフィルム式、カルマン渦式等）であっても良い。
【００６３】
また、上述の各実施形態は、以下のように変形することができる。なお、下記の説明においては、上記の各実施形態と同一の構成要素に同じ符号を用い、それらの詳細な説明は省略する。
【００６４】
（第１変形例）
図１２は、第１変形例に係る吸気装置３００及びエアクリーナ２の概略構成図であり、図１３は、図１２のＸＩＩＩ−ＸＩＩＩ断面図である。
【００６５】
上述の各実施形態では、吸気管１０内に設けられたフィン４０を旋回部とした。これに対して、図１２及び図１３に示すように、本変形例の旋回部は、吸気管１０の上流側端部に一体的にまたは別体として設けられたスクロール形状の管部材８０によって形成されている。
【００６６】
この管部材８０によれば、吸気管１０内に旋回流を生じさせて、上述の各実施形態におけるフィン４０と同様の効果を得ることができる。
【００６７】
（第２変形例）
図１４は、第２変形例に係る吸気装置５００の概略構成図である。また、図１５は、第２変形例に係る吸気装置５００及びエアクリーナ２の概略構成図であり、図１６は、図１５のＸＶＩ−ＸＶＩ断面図である。
【００６８】
図１４に示すように、第２変形例の支持部材９０は、羽根状ないし板状に形成されても良い。より詳しくは、第２変形例の支持部材９０は、上流側から下流側に向かうにつれ軸方向に対して傾斜されることで、フィン４０で発生した旋回流を阻害しないで円滑に下流に流すように構成されても良い。また、図示しないが、フィン４０と傾斜した支持部材９０とは、連続した一体形状であっても良い。
【００６９】
また、図１４〜図１６に示すように、本変形例の筒部材Ｔ２は、旋回流の流れをできるだけ阻害しないように、旋回流の方向に対して平行な流線形の断面形状を有しても良い。但し、筒部材Ｔ２は、任意の形状であって良い。例えば、図１７に示す筒部材Ｔ３のように、吸気管１０の管軸Ｃに対して平行な流線形の断面形状であっても良い。
【００７０】
また、本変形例の内筒２０には、整流板２２より下流で、かつ、吸気導入口３０ｉｎより上流の位置に、内筒２０の内側と外側とを連通する連通孔２４が設けられても良い。なお、図示例では、連通孔２４は、内筒２０の周方向に複数形成されるが、孔数は単数であっても良い。また、連通孔２４の位置は、整流板２２より上流側であっても良い。
【００７１】
本変形例においては、管軸Ｃに対して傾斜して流れる吸気が、支持部材９０や筒部材Ｔ２によって阻害されるのを抑制して、吸気を円滑に下流に流すことができる。
【００７２】
また、内筒２０の外側と内側との圧力差が大きく、内筒２０の内側の吸気の流れが安定しない場合でも、内筒２０に連通孔２４を設けることにより、圧力差を低減できる。
【００７３】
（第３変形例）
図示しないが、捕集部は、吸気管内に設けられていても良い。例えば、捕集部は、吸気管の内壁部に敷設されたスポンジ状の吸着部材であっても良い。このような捕集部であれば、旋回流によって内筒よりも径方向外側に付勢された異物を吸着させて捕集できる。
【００７４】
特に、図９〜図１１に示した第３実施形態の捕集部７０の代わりに本変形例の吸着部材を設けることで、オイルＯを含んだ吸着部材に異物Ｂが吸着されて捕集される。また、異物ＢがオイルＯと共に吸気によって下流に送り出されることで、ダストの巻き上がりを抑制できる。
【符号の説明】
【００７５】
１  内燃機関
２  エアクリーナ
８  ガスホース（還流通路）
１０  吸気管
１２  内壁部
２０  内筒
２２  整流板（整流部）
３０  エアフローセンサ
３０ｉｎ  吸気導入口
３０ｏｕｔ  吸気排出口
３１  ケース
３２  ホットワイヤ
４０  フィン（旋回部）
５０  支持部材
６０  捕集部
６１  一方弁
７０  捕集部
８０  支持部材
９０  管部材（旋回部）
１００  吸気装置
Ｂ  異物
【図１】
2019132260.tif 000003
【図２】
2019132260.tif 000004
【図３】
2019132260.tif 000005
【図４】
2019132260.tif 000006
【図５】
2019132260.tif 000007
【図６】
2019132260.tif 000008
【図７】
2019132260.tif 000009
【図８】
2019132260.tif 000010
【図９】
2019132260.tif 000011
【図１０】
2019132260.tif 000012
【図１１】
2019132260.tif 000013
【図１２】
2019132260.tif 000014
【図１３】
2019132260.tif 000015
【図１４】
2019132260.tif 000016
【図１５】
2019132260.tif 000017
【図１６】
2019132260.tif 000018
【図１７】
2019132260.tif 000019